(57)【要約】      （修正有）【課題】素早く操作できるとともに、捕まえた虫を直視することなく、つまむこともなく、捕まえた虫を捨てることができる虫取り具を提供する。【解決手段】虫取り具１ａは、柄３、柄３の先端に取り付けた枠、枠に張られ編目より大きい穴を穿設した網を備える本体２と、網を覆って、虫を粘着して捕獲後に穴より逆面側に引き出して虫を包み廃棄される粘着性シート６と、からなる。また、枠に、粘着性シート６を引っ掛ける掛止手段を備える。さらに、粘着性シート６に、粘着部の外側に保護材を配置した土手を備える。【選択図】図１
0003228621.tif 000002
【実用新案登録請求の範囲】
【請求項１】
柄、前記柄の先端に取り付けた枠、前記枠に張られ編目より大きい穴を穿設した網を備える本体と、
前記網を覆って、虫を粘着して捕獲後に前記穴より逆面側に引き出して虫を包み廃棄される粘着性シートと、
からなることを特徴とする虫取り具。
【請求項２】
前記枠に、前記粘着性シートを引っ掛ける掛止手段を備えることを特徴とする請求項１に記載の虫取り具。
【請求項３】
前記粘着性シートに、粘着部の外側に保護材を配置した土手を備えることを特徴とする請求項１又は請求項２に記載の虫取り具。
【考案の詳細な説明】
【技術分野】
【０００１】
本考案は、素早く操作できるとともに、捕まえた虫を直視することなく、つまむこともなく、捕まえた虫を捨てることができる虫取り具に関する考案である。
【背景技術】
【０００２】
従来から、網状の面でハエ（その他虫）「単に虫という」を叩いて捕まえるハエタタキがあるが、捕まえたあと、死んだ、潰れた虫をピンセットなどでつまんで、捨てなければならなかった。それを解決するべく、以下の特許文献１−５の発明・考案などが提案されている。
【０００３】
特許文献１は、「捕虫を受動的ではなく能動的に行うことができ、捕まえた虫を手を汚すことなく廃棄することができるものであって、
把手１２を有する粘着テープ保持用の扁平部材１４と複数の粘着テープ１６の積層体１８とから成り、積層体１８は、粘着面１６Ａが外側となるように積層体１８の内面を扁平部材１４の表裏両面に沿って折り返すように扁平部材１４に保持され、さらに、この捕虫具１０は、把手１２で積層体１８の最表面の粘着性テープ１６に虫を付着するように積層体１８を虫に触れさせて捕虫するものであり、捕虫後、最表面の粘着性テープ１６を裏返しに剥離して虫を包み込んで捨てるという補虫具」である。
【０００４】
特許文献２は、「粘着剤を塗布した面に、昆虫等を貼り付けて捕獲する手持ち型の昆虫等捕獲器について、粘着面の断面形状を適宜調整しうる機能を付与し、平面のみならず、隙間部、直角コーナー部、円弧状部など様々な断面形状を有する面に付着した昆虫等への粘着面の密着度を高め、捕獲性を向上させた捕獲器であって、
粘着面（１）を設けた板（３）に折り目（２）を設け、折り目（２）の数、位置及び角度は昆虫等が付着した面の表面に近似するよう適宜設定する、また粘着面を昆虫等に押しつける際の力の伝達や角度の微調整を行うために、板の背面（粘着面とは反対側の面）にハンドル（４）を設けてなる手持ち型昆虫等捕獲器」である。
【０００５】
他方、特許文献３は、「この発明は、ゴキブリなどの不快虫が出て来た場合、誰にでも簡単にそして素早く確実に捕獲出来、しかもその後の処理をいたって容易にした速攻式ゴキブリ取り器具に関するものであって、
本体（１）にスポンジ部（２）が設けてあり、重ねて交換の容易な粘着シート（３）が設けてある。それらでゴキブリなどの不快虫を捕らえるという速攻式ゴキブリ取り器具」である。
【０００６】
また、特許文献４は、食べ物の上を飛び回るハエをそのまま捕らえることができ、また、力加減をあまり気にせずハエやゴキブリを潰さずに捕らえることができるようにしたハエたたきであって、
支持枠部３の表裏四隅に嵌合用突起部及びハエ・ゴキブリ潰れ防止部２を設け、それに突起部嵌合用穴を四隅に設けた粘着剤塗布捕獲部１を嵌め合わせることとした、またハエたたきの四隅に突起部２を設ければ、ハエやゴキブリを叩いても潰さずに捕らえることができる、さらにハエたたきの支持枠部３の表裏の四隅に突起部２を設けることにより、両面を使用することができ、より便利になるという、飛んでいるハエも捕らえるハエたたき」である。
【０００７】
しかし、それら発明・考案は、捕まえた虫を直視してから廃棄しなければならず、虫嫌いにとっては、捕まえたあとも気持ち悪いものであった。
【０００８】
虫をつかまず、捕まえた虫を直視せず、廃棄する手段として、特許文献５の方式が提案されている。特許文献５は、「粘着剤を塗布した面に、昆虫等を貼り付けて捕獲する手持ち型の昆虫等捕獲器について、粘着面の断面形状を適宜調整しうる機能を付与し、平面のみならず、隙間部、直角コーナー部、円弧状部など様々な断面形状を有する面に付着した昆虫等への粘着面の密着度を高め、捕獲性を向上させた捕獲器であって、
粘着面（１）を設けた板（３）に折り目（２）を設け、折り目（２）の数、位置及び角度は昆虫等が付着した面の表面に近似するよう適宜設定する、また粘着面を昆虫等に押しつける際の力の伝達や角度の微調整を行うために、板の背面（粘着面とは反対側の面）にハンドル（４）を設けてなる手持ち型昆虫等捕獲器」である。
【０００９】
しかしながら、特許文献５では、素早く操作することができず、飛んでいる虫には適さない。
【先行技術文献】
【特許文献】
【００１０】
【特許文献１】実用新案登録第３１１９３６６号公報
【特許文献２】特開２００２−３０６０４７号公報
【特許文献３】特開平６−２０９６８５号公報
【特許文献４】実用新案登録第３１９０９００号公報
【特許文献５】特開２００３−１８０２２４号公報
【考案の概要】
【考案が解決しようとする課題】
【００１１】
そこで、本考案は、素早く操作できるとともに、捕まえた虫を直視することなく、つまむこともなく、捕まえた虫を捨てることができる虫取り具を提供することを目的とする。
【課題を解決するための手段】
【００１２】
本考案は、上記課題を解決するため、
（１）柄、前記柄の先端に取り付けた枠、前記枠に張られ編目より大きい穴を穿設した網を備える本体と、
前記網を覆って、虫を粘着して捕獲後に前記穴より逆面側に引き出して虫を包み廃棄される粘着性シートと、
からなることを特徴とする虫取り具。
（２）
前記枠に、前記粘着性シートを引っ掛ける掛止手段を備えることを特徴とする（１）に記載の虫取り具。
（３）
前記粘着性シートに、粘着部の外側に保護材を配置した土手を備えることを特徴とする（１）又は（２）に記載の虫取り具。
とした。
【考案の効果】
【００１３】
本考案は、上記構成であるので、素早く操作でき飛んでいる虫も捕獲できるとともに、捕まえた虫を直視することなく、つまむこともなく、捕まえた虫を捨てることができ、極度の虫嫌いにとって、とても優しい虫取り具である。
【図面の簡単な説明】
【００１４】
【図１】本発明である虫取り具の一部透視正面図である。
【図２】本発明を構成する本体の正面図（背面図も同様）である。
【図３】本発明を構成する粘着性シートの正面図である。
【図４】本考案によって虫を捕獲した後、粘着性シートを取り除くときの説明図である。なお、図１のＡ−Ａ’位置、矢視断面（一部透視）として示した。
【図５】本発明の第二の実施例の（Ａ）一部透視正面図、及び（Ｂ）Ｂ−Ｂ’矢視拡大断面図である。
【図６】第二の粘着性シートの正面図である。
【考案を実施するための形態】
【００１５】
以下、添付図面に基づき、本考案の実施の形態について詳細に説明する。ただし、本考案はそれら実施形態の形状、大きさに限定されるものではない。
【実施例１】
【００１６】
図１に示すように、本考案の一例である虫取り具１ａは、本体２と、粘着性シート６とからなる。
【００１７】
本体２は、図２に示すように、手で把持する柄３と、柄３の先端に取り付けた枠４と、枠４に張られ、編目５ａより大きい穴５ｂを穿設した網５を備える。
【００１８】
穴５ｂは、虫捕獲後に、後述のように粘着性シート６を引き抜き、通す。さらに、穴５ｂの境界は、網５がほつれないように、縁５ｃで補強している。従来のハエたたきの網に穴を穿設したものでよい。よって、網５は、線材、樹脂成型であってもよく、目開きも特別限定はない。
【００１９】
枠４には、粘着性シート６を掛止する突起４ａを備える。突起４ａは、枠４の正面にであってもよいが、側面の方が、使用時に、調度品に傷つけることがなく望ましい。突起４aを設置する枠の辺は、脱落しないように、対抗する２辺、さらに、３辺、すべての辺であってもよい。
【００２０】
ここでは、突起４ａを図２左右辺と左右下辺に設置した。下辺に突起４ａを備えれば、本発明を振り回しても粘着性シート６が抜けて飛んでいきにくい。さらに、突起４ａに返し、キャップなどつけて、脱落を防いでもよい。
【００２１】
また、突起４ａに代えて、粘着性シート６を枠に掛止する他の掛止手段を採用してもよい。本発明使用時には、粘着性シート６が脱落せず、虫捕獲後には、穴５ｂより粘着性シート６を引き抜く際に、掛止が解除できればよい。例えば、面ファスナー、両面テープなどが例示できる。
【００２２】
粘着性シート６は、図３に示すように、網５を覆う形状で、一方面（虫を吸着させる面）のみに粘着部６ａを備える。図４に示すように、虫を粘着して捕獲後に穴５ｂより逆面側に指１０でつまみ、引き出して（片６ｂがちぎれて、突起４ａへの掛止が解除される）虫１１を包んで状態で、直視することなく、廃棄される。
【００２３】
なお、粘着性シート６の各辺で片６ｂに切れ目６ｃを入れて各片６ｂを分断することで、枠４に取り付けた状態が安定する。また、粘着性シート６に小さな孔（虫の全体を視認できない程度の小さな孔）を開けることで、空気抵抗が低減され、より素早く本発明を振り回して使用することができる。
【実施例２】
【００２４】
次に、本発明の第二の実施の形態について説明する。
実施例１の発明において、粘着性シート６に粘着部６ｆの外側に緩衝材を配置した土手７を備えた粘着性シート６ｅである点が異なる。その他は、実施例１と同じ構成であるので、それを参照すれば理解できるの、重ねての説明を省略する。
【００２５】
土手７は、調度品を傷つけないためであるのと、粘着部６ｆが叩いたところに貼着しないようにすること、さらにスペース７ａを形成して、虫１１を潰さないようにするために備えられる。
【００２６】
緩衝材としては、スポンジなどが好適である。粘着性シート６ｅの粘着部６ｆに貼り付けてもいいし、土手７底面を両面テープ、糊などを貼り、粘着性シート６ｅに貼付してもよい。メンファスナーなどで着脱式としてもよい。
【符号の説明】
【００２７】
１ａ    虫取り具
１ｂ    虫取り具
２      本体
３      柄
４      枠
４ａ    突起
５      網
５ａ    網目
５ｂ    穴
５ｃ    縁
６      粘着性シート
６ａ    粘着部
６ｂ    片
６ｃ    切れ目
６ｄ    粘着部
６ｅ    粘着性シート
６ｆ    粘着部
７      土手
７ａ    スペース
１０    指
１１    虫
【図１】
0003228621.tif 000003
【図２】
0003228621.tif 000004
【図３】
0003228621.tif 000005
【図４】
0003228621.tif 000006
【図５】
0003228621.tif 000007
【図６】
0003228621.tif 000008
【手続補正書】
【提出日】令和2年7月28日(2020.7.28)
【手続補正１】
【補正対象書類名】実用新案登録請求の範囲
【補正対象項目名】全文
【補正方法】変更
【補正の内容】
【実用新案登録請求の範囲】
【請求項１】
柄、前記柄の先端に取り付けた枠、前記枠に張られ編目より大きい穴を穿設した網を備える本体と、
前記網を覆って、虫を粘着して捕獲後に前記穴より逆面側に引き出して虫を包み廃棄される粘着性シートと、
からなることを特徴とする虫取り具。
【請求項２】
前記枠に、前記粘着性シートを引っ掛ける掛止手段を備え、
前記掛止手段が、突起、面ファスナー及び両面テープの内から選ばれるいずれか一種であることを特徴とする請求項１に記載の虫取り具。
【請求項３】
前記粘着性シートに、粘着部の外側に保護材を配置した土手を備えることを特徴とする請求項１又は請求項２に記載の虫取り具。